(57)【要約】【課題】コンセントの配置位置、種別、数、差込口数、ルート、ゾーン等の情報の探査が容易に可能であり、電力、電話、情報等の特定工事区分毎の管理が容易にでき、装置を小型化可能とする無線周波数識別による二重床配線器具類の探査装置及びその方法を得る。【解決手段】二重床内に設置されたコンセント本体又はコンセント近傍に設置されるコンセント情報書込みのＲＦ−ＩＤタグと、送受信部と操作部とで構成されて該ＲＦ−ＩＤタグにより該二重床内に設置されたコンセントを二重床面上から探査する略モップ形状探査装置と、該送受信部に接続され、該操作部に設置可能に設けられ、該ＲＦ−ＩＤタグの情報を検知しその検知されたコンセント情報を表示する探知ユニット部とを有し、所望コンセントが検知された時にコンセント位置の報知と共に、位置検知されたコンセントの種別情報及びその差込口情報、ライン情報、ゾーン情報の少なくともいずれかを表示する。【選択図】図３
2005171589.tif 000002
【特許請求の範囲】
【請求項１】
二重床内に設置されたコンセント本体又はコンセント近傍位置に設置される所定のコンセント情報が書き込まれたＲＦ−ＩＤタグと、
送受信部と操作部とで構成されて前記ＲＦ−ＩＤタグにより前記二重床内に設置されたコンセントを、二重床面上に沿って走行させるようにして操作することにより探査する略モップ形状探査装置と、
前記送受信部に接続され、前記操作部に設置可能に前記探査装置に設けられ、前記ＲＦ−ＩＤタグの情報を検知すると共にその検知された所望のコンセント情報を所定の形態で表示可能とする表示部を有する探知ユニット部とを有し、
前記探査装置の操作で探査した場合、所望コンセントが検知された時にコンセント位置を報知すると共に、前記表示部に、前記コンセント情報のうち位置検知されたコンセントの種別情報及びその差込口情報、ライン情報、ゾーン情報の少なくともいずれかを表示することを特徴とする無線周波数識別による二重床配線器具類の探査装置。
【請求項２】
二重床内に設置されたコンセント本体又はコンセント近傍位置に設置される所定のコンセント情報が書き込まれたＲＦ−ＩＤタグと、
送受信部、操作部、該タグ情報を検知する探知ユニット部で構成され、前記ＲＦ−ＩＤタグにより該二重床内に設置されたコンセントを探査する略モップ形状探査装置と、
前記略モップ形状探査装置により二重床面上に沿って走行させるように操作して、少なくとも特定領域毎に電力、電話、情報等の配線又はコンセント位置を探査し、所望のコンセント位置が探知された時に位置情報を報知すると共に前記コンセント位置探知によって該位置探知されたコンセント種別、数、ラインなどのコンセント情報と、他のコンセント種別、数、差込口数、ゾーン、ラインなどのコンセント情報と
を報知することを特徴とする無線周波数識別による二重床配線器具類の探査装置。
【請求項３】
二重床内に設置されるコンセント及び電力・電話・情報等の種別或いは敷設される配線経路のライン、区画されるゾーン等の少なくともいずれかひとつの所定のコンセント情報が書き込まれたＲＦ−ＩＤタグを所定配電盤の所定位置又は近傍に設置するタグ設置ステップと、
前記ＲＦ−ＩＤタグの書き込まれたコンセント情報を検知する探知ユニット部を、所定の配電盤の少なくとも近傍位置に探知操作して該配電盤に設置された該ＲＦ−ＩＤタグの所定コンセント情報を探知する探知操作ステップと、
前記配電盤の探知操作により、電力、電話、情報の種別に対応させて前記コンセント、ライン、ゾーンを報知すると共に、該種別毎のコンセント数、ライン数、ゾーン数、差込口数の総数の少なくともいずれかのコンセント情報を報知する情報報知ステップと
を含むことを特徴とする無線周波数識別による二重床配線器具類の探査方法。
【請求項４】
少なくとも配電盤近傍位置に設置された第１のＲＦ−ＩＤタグを検知し、その予め書き込まれたコンセント及びコンセント種別、コンセント数、ライン及びライン数、ゾーン及びそのゾーン数の少なくともいずれかのコンセント情報を読み出し、所定の整列配置による表示形態で一括して表示する第１のステップと、
コンセント探知操作により、少なくともコンセント近傍位置に設置された第２のＲＦ−ＩＤタグを検知して所定のコンセントの位置を検知し、その位置検知されたコンセントにおける所定のコンセント表記のみのコンセント情報を前記表示形態と異なる表示形態で表示する第２のステップと
を含むことを特徴とする無線周波数識別による二重床配線器具類の探査方法。
【請求項５】
コンセント探知操作により、少なくともコンセント近傍位置に設置されたＲＦ−ＩＤタグを検知して所望コンセント位置を検知し、該位置検知されたコンセントにおける予め書き込まれたコンセント情報の特定ラインのみのコンセント及びコンセント種別、コンセント数のコンセント情報を読み出して所定の整列配置による表示形態で表示する第１のステップと、
その位置検知されたコンセントにおけるコンセント情報のみを前記表示形態と異なる表示形態で表示する第２のステップと
を含むことを特徴とする無線周波数識別による二重床配線器具類の探査方法。
【請求項６】
コンセント探知操作により、少なくともコンセント近傍位置に設置されたＲＦ−ＩＤタグを検知して所望コンセント位置を検知し、該位置検知されたコンセントにおける予め書き込まれたライン及びライン数、コンセント及びコンセント種別、コンセント数、ゾーン及びそのゾーン数などのコンセント情報を読み出して、所定の整列配置による表示形態で一括して表示する第１のステップと、
前記位置検知されたコンセントにおけるコンセント情報のみを前記表示形態と異なる表示形態で表示する第２のステップと
を含むことを特徴とする無線周波数識別による二重床配線器具類の探査方法。
【発明の詳細な説明】
【技術分野】
【０００１】
本発明は、無線周波数識別（ＲＦ−ＩＤ）を用いた探査技術、特に、このＲＦ−ＩＤタグを二重床内に設置される配線器具類又はその近傍に付してその二重床内の配線器具類の位置情報、その他配線器具類の情報を探査し、それらの情報を報知可能とする技術に関する。
【背景技術】
【０００２】
近年、多種多様な複数種類の物品の位置検出や識別する方法としてＲＦ−ＩＤ（無線周波数識別、電波認識：Radio Frequency Identification）タグ等が従来のバーコードに代わる物品識別技術として物品の識別のために広く用いられている。
【０００３】
特に、このＲＦ−ＩＤタグは、アンテナ及び半導体集積チップを有し、所定の識別情報を該半導体集積チップ内にデータとして書き込み、記憶（データ保持：データキャリア）し、その記憶された識別情報は、アンテナから無線電波を受信して動作用電力を発生し、その半導体チップ内の記憶されたデータに応じて変化させた反射波を発生し、無線電波の送信源に対して記憶されているデータを読み出し、非接触の無線通信により読み取り可能としたものである。
【０００４】
これによって、ＲＦ−ＩＤの存在位置や情報を検索可能にするシステムであり、例えば代表例では、店舗内の物品にＲＦ−ＩＤタグを付けて万引き防止システムを構築することが知られている。
【０００５】
つまり、流通物品、陳列物品、梱包品、家電品、埋設配管（ケーブル管、光ファイバー管等）、その他金属製物体・物品、身分証明やキャシュカード等の多分野に亘り広範囲に適用されている。
【０００６】
この種の物品に関する探査装置及び方法には、例えば、ＲＦ−ＩＤ検索装置およびＲＦ−ＩＤを利用する物品検索方法（特許文献２：特開２００２−２７１２２９公報）、所在確認対象物の所在確認システム（特許文献３：特開２００２−２１６０８６公報）、商品販売管理方法および装置ならびに携帯端末（特許文献４：特開２００２−１６３７２２公報）などが存在する。
【０００７】
又、上記の埋設配管に関する探査装置及び方法には、例えば、地中埋設物の位置情報編集管理方法及びそのためのプログラムを記録した記録媒体（特許文献１：特開２００３−３５７８２公報）、ピン型標識装置（特許文献５：特開２００１−１９５０２２公報）、物体の埋設位置検出方法及びその装置（特許文献６：特開２００１−９９９４６公報）などが存在し、周知である。
【０００８】
しかし、前記特開２００３−３５７８２公報（特許文献１）は地中埋設された配管に係る技術分野であり、送受信器は大掛かりであり、装置の大型化が避けられず、重量も大きく、コスト高になるだけでなく、探知の操作、施工性が悪いという問題がある。また、特開２００１−１９５０２２公報（特許文献５）では、ＲＦ−ＩＤタグを地面に打ち付け可能とするピン形状の頭部に埋め込んでおく必要があり、構造も複雑で信頼性に欠くものであり、また、地表に打ち付けるのみでは、離脱されたり、損傷する場合が生じる可能性がある。
【０００９】
更に、前記特開２００１−９９９４６公報（特許文献６）も配管探査用に係る技術で、衛星航法システムにおける台車による物体識別装置であり、ＲＦ−ＩＤも配管専用であって、装置が大きく、重く、大掛かりであり、コスト高で探査の操作施工性が悪い。
【００１０】
この他、ＲＦ−ＩＤではないが、無線ＬＡＮ、コンピューターネットワーク等を適用してフロア内配線接続情報、機器設置情報、フロアレイアウト情報等を探査し画面表示により報知するシステムが知られ、例えば、ネットワーク管理システム（特許文献７：特許第２７６８８７５号）が存在し、周知である。
【００１１】
一方、ＯＡフロア（二重床、フリーアクセスフロア）の技術分野においては、コンセント等の配線器具や配線類を設置、敷設するわけであるが、使用者等は、レイアウト変更、移増設の際、それらの探査が不便であり、コスト面、使い勝手上、コンセントマーカー（シールやピン等）を用いるのが一般的である。そして、この種の業界や技術分野では、ＲＦ−ＩＤを用いて二重床内に設置された配線器具類を探知することは行われていない。  
【００１２】
従って、例えば電力、電話、情報等の種別による特定工事区分毎の管理が困難であり、施工面積が比較的広い場合、多種多様のコンセントが二重床内に設置されている時には、特定の単一のコンセント位置がわかっていても、種別が分からないだけでなく、接続されている多数の経路、ルートのうち、どのライン上にあるのかが分からず、しかも、そのライン上にどの様なコンセントがいくつ設置されているのか否か、分からないという状況となり、結局、二重床上の仕上げ材、カバーやパネルを外して確認する必要が生じる。
【００１３】
特に、レイアウト変更による配線、コンセントの移増設が行われると、更に経路、ルートを見つけ出すことは困難となる。
【特許文献１】特開２００３−  ３５７８２
【特許文献２】特開２００２−２７１２２９
【特許文献３】特開２００２−２１６０８６
【特許文献４】特開２００２−１６３７２２
【特許文献５】特開２００１−１９５０２２
【特許文献６】特開２００１−  ９９９４６
【特許文献７】特許番号第２７６８８７５号
【発明の開示】
【発明が解決しようとする課題】
【００１４】
本発明は、上記の如き観点に鑑みて成されたものであって、コンセント及び配線の管理が容易となり、コンセントの配置位置、種別、数、差込口数、ルート、ゾーン等の情報の探査が容易に可能であり、電力、電話、情報等の特定工事区分毎の管理が容易に可能で、装置を比較低コストで小型化可能とする無線周波数識別による二重床配線器具類の探査装置及びその方法を提供することにある。
【課題を解決するための手段】
【００１５】
本発明に係る無線周波数識別による二重床配線器具類の探査装置及び方法によれば、上記従来の課題を解決するために、以下の手段を講じたものである。
【００１６】
第１に、二重床内に設置されたコンセント本体又はコンセント近傍位置に設置される所定のコンセント情報が書き込まれたＲＦ−ＩＤタグと、送受信部と操作部とで構成されて前記ＲＦ−ＩＤタグにより前記二重床内に設置されたコンセントを、二重床面上に沿って走行させるようにして操作することにより探査する略モップ形状探査装置と、前記送受信部に接続され、前記操作部に設置可能に前記探査装置に設けられ、前記ＲＦ−ＩＤタグの情報を検知すると共にその検知された所望のコンセント情報を所定の形態で表示可能とする表示部を有する探知ユニット部とを有し、前記探査装置の操作で探査した場合、所望コンセントが検知された時にコンセント位置を報知すると共に、前記表示部に、前記コンセント情報のうち位置検知されたコンセントの種別情報及びその差込口情報、ライン情報、ゾーン情報の少なくともいずれかを表示する無線周波数識別による二重床配線器具類の探査装置を設け、該探査装置の操作によるコンセント探知により、コンセント位置検知されたコンセント表示と、その検知されたコンセント情報のみの表示とで、検知コンセントの位置とその関連情報を知ることが可能となる。
【００１７】
第２に、二重床内に設置されたコンセント本体又はコンセント近傍位置に設置される所定のコンセント情報が書き込まれたＲＦ−ＩＤタグと、送受信部と操作部と該タグ情報を検知する探知ユニット部とで構成され、前記ＲＦ−ＩＤタグにより該二重床内に設置されたコンセントを探査する略モップ形状探査装置と、前記略モップ形状探査装置により二重床面上に沿って走行させるように操作して、少なくとも特定領域毎に電力、電話、情報等の配線又はコンセント位置を探査し、所望のコンセント位置が探知された時に位置情報を報知すると共に前記コンセント位置探知によって該位置探知されたコンセント種別、数、ラインのコンセント情報と、他のコンセント種別、数、差込口数、ゾーン、ラインなどのコンセント情報とを報知する無線周波数識別による二重床配線器具類の探査装置を設け、前記探査装置の操作による探知により、簡単に位置検知されたコンセント表示と、位置検知されたコンセントとは異なる他のコンセントの情報も表示でき、全体のコンセント情報を知ることが可能となる。
【００１８】
第３に、二重床内に設置されるコンセント及び電力・電話・情報等の種別或いは敷設される配線経路のライン、区画されるゾーン等の少なくともいずれかひとつの所定のコンセント情報が書き込まれたＲＦ−ＩＤタグを所定配電盤の所定位置又は近傍に設置するタグ設置ステップと、前記ＲＦ−ＩＤタグの書き込まれたコンセント情報を検知する探知ユニット部を、所定の配電盤の少なくとも近傍位置に探知操作して該配電盤に設置された該ＲＦ−ＩＤタグの所定コンセント情報を探知する探知操作ステップと、前記配電盤の探知操作により、電力、電話、情報の種別に対応させて前記コンセント、ライン、ゾーンを報知すると共に、該種別毎のコンセント数、ライン数、ゾーン数、差込口数の総数の少なくともいずれかひとつのコンセント情報を報知する情報報知ステップとから成る無線周波数識別による二重床配線器具類の探査方法により、特定の定められた位置に設置されている配電盤だけの探知により、全コンセント情報を一括表示でき、探知すべきコンセント有無や認識ができると共に、コンセントの全情報が1回の探査で簡単に知ることができる。
【００１９】
第４に、少なくとも配電盤近傍位置に設置された第１のＲＦ−ＩＤタグを検知し、その予め書き込まれたコンセント及びコンセント種別、コンセント数、ライン及びライン数、ゾーン及びそのゾーン数の少なくともいずれかのコンセント情報を読み出し、所定の整列配置による表示形態で一括して表示する第１のステップと、コンセント探知操作により、少なくともコンセント近傍位置に設置された第２のＲＦ−ＩＤタグを検知して所定のコンセントの位置を検知し、その位置検知されたコンセントにおける所定のコンセント表記のみのコンセント情報を前記表示形態と異なる表示形態で表示する第２のステップとから成る無線周波数識別による二重床配線器具類の探査方法により、前記配電盤の探知によって全コンセント情報一括表示と共に、コンセント位置検知により検知されたコンセント情報の表示が可能となるので、全体のコンセント表示から探知対象のコンセントの位置情報、その関連情報が異なる表示形態で表示されるので、認識が容易となる。
【００２０】
第５に、コンセント探知操作により、少なくともコンセント近傍位置に設置されたＲＦ−ＩＤタグを検知して所望コンセント位置を検知し、該位置検知されたコンセントにおける予め書き込まれたコンセント情報の特定ラインのみのコンセント及びコンセント種別、コンセント数のコンセント情報を読み出して所定の整列配置による表示形態で表示する第１のステップと、その位置検知されたコンセントにおけるコンセント情報のみを前記表示形態と異なる表示形態で表示する第２のステップとから成る無線周波数識別による二重床配線器具類の探査方法によれば、コンセント探知操作のみにより、特定ライン、種別のコンセント情報表示と、検知されたコンセント情報の表示とが可能となるので、１回の探査で検知されたコンセント情報が全で認識することができる。
【００２１】
そして、第６に、コンセント探知操作により、少なくともコンセント近傍位置に設置されたＲＦ−ＩＤタグを検知して所望コンセント位置を検知し、該位置検知されたコンセントにおける予め書き込まれたライン及びライン数、コンセント及びコンセント種別、コンセント数、ゾーン及びそのゾーン数などのコンセント情報を読み出して、所定の整列配置による表示形態で一括して表示する第１のステップと、前記位置検知されたコンセントにおけるコンセント情報のみを前記表示形態と異なる表示形態で表示する第２のステップとから成る無線周波数識別による二重床配線器具類の探査方法によれば、コンセント探知操作により、全コンセント情報一括表示と検知されたコンセント情報の表示とが可能となるので、コンセントの全体の情報が認識でき、検知されたコンセントの情報が異なる表示形態で表示されるので、位置付けが容易に理解できる。
【発明の効果】
【００２２】
本発明は、以下の効果を奏する。
（１）略モップ形状探査装置により、二重床内に設置されたコンセントの位置を容易に見つけ出すことができ、そのコンセント位置の探知に基づいて、その探知されたコンセント全ての情報や他のコンセントの情報をも知ることができる。
（２）略モップ形状探査装置により、最初に配電盤近傍位置を探査すると、電力、電話、情報の各モード毎や種別毎に、コンセント・配線情報を容易に得ることができ、モード毎や種別毎のコンセント・配線情報全てを容易に認識することが可能である。
（３）送受信部に接続され、操作部より着脱自在に装着される略モップ形状探査装置に設けられた探知ユニット部により、二重床内に設置されたコンセント位置を音で容易に検知でき、その検知されたコンセント情報を表示により報知することが可能である。
（４）配電盤近傍位置の探査により多数のコンセント情報を整列配置による表示形態で一括表示できて認識し易く、更に、コンセントの探査によりコンセント位置を検知しその検知されたコンセント情報のコンセントだけの表記をその一括表示と異なる表示で表示するので、全体のコンセント情報と共に、容易に位置検知されたコンセント情報を容易に区別して認識することができる。
（５）最初のコンセント探知で位置検知されたコンセント情報にかかる所定の種別、数、ラインだけを表示するので、検知されたコンセント情報のみが簡単に判別でき、且つ、その位置検知されたコンセント情報を異なる表示形態で表示するので、位置情報のみが容易に区別され認識し易い。
（６）最初のコンセント探知で一括して全コンセント情報を表示し、且つ、その検知されたコンセントの位置情報を前記表示と異なる表示形態で表示するので、1回のコンセント検知で全てのコンセント情報が一括して認識でき、位置情報のみが容易に区別できて認識し易い。
【発明を実施するための最良の形態】
【００２３】
本発明に係る無線周波数識別による二重床配線器具類の探査装置及びその探査方法について、好適な実施例を、以下、図面を用いて、詳細に説明する。
まず、図３を用いて、本実施例に係る二重床配線器具類の探査装置である送受信部と、操作部と、探知ユニット部とで成る略モップ形状探査装置の主要構成について説明する。
【００２４】
送受信部はアンテナ１であり、ＲＦ−ＩＤタグの予め書き込まれたコンセント情報の各データ信号を送受信するためのものであり、操作部２は図示のようにそのデータ信号を送受信しコンセント情報を得るための探知操作を自由自在に容易に可能とするものである。この探知操作は、具体的には前記アンテナ１底面が二重床面Ｆである上面に沿って走行させるように操作して行う。そして、アンテナ１から受信されたデータ信号は、ＰＤＡ（携帯デジタルアシスタント：Personal Digital Assistant）である探知ユニット部３に取り込まれて、予めパソコンＰＣにより取り込まれた所定の表示形態用のプログラムに基づいて、表示データに変換するようにデータ処理される。
【００２５】
これによって、例えばＬＣＤ等の画面表示である表示部７により、コンセント種別、コンセント数、コンセント口数、差込口の種別、ライン種別、ライン数、ゾーン種別、ゾーン数等が所定のボタン操作により必要に応じて、少なくともいずれかが、例えば、図４に示すように記号化され、整列配置で表示される。
【００２６】
次に、上記ＲＦ−ＩＤタグに読み書きされるコンセント情報の各データの入力方法を説明する。
例えば、図４、図６及び図７に示すような予め定められた表示形態に対応する所定のプログラムを、パソコンＰＣを介して、ＰＤＡである探知ユニット部３に取り込むと共に、コンセント情報である表示データを、前記パソコンＰＣを介して入力するか、或いはＰＤＡ３本体の所定キー操作で入力する。表示データとしては、前述のコンセント種別（Ｐ，Ｔ，Ｊ）、コンセント数（本実施例の図４及び図６に示す場合は、例えば、ＡラインではＡ−１，Ａ−２，Ａ−３，Ａ−４、ＢラインではＢ−１，Ｂ−２，Ｂ−３，ＣラインではＣ−１．Ｃ−２，Ｃ−３，ＤラインではＤ−１，Ｄ−２，Ｄ−３，ＥラインではＥ−１，Ｅ−２，Ｅ−３，ＦラインではＦ−１，Ｆ−２）、コンセント口数、差込口の種別、ライン種別（Ａ，Ｂ，Ｃ，Ｄ，Ｅ，Ｆ）、ライン数、ゾーン種別（Ｘ，Ｙ，Ｚ）、ゾーン数などである。（ゾーンは床上の所定の床区分領域を示す。）
【００２７】
そして、前記ＰＤＡ３に、これら入力された表示データを、ＲＦ−ＩＤタグに書き込むわけであるが、前記ＰＤＡ３本体から例えば図示してない別個の専用アンテナを接続してＲＦ−ＩＤタグに表示データ送信して行うか、或いは前述した略モップ形状探査装置６に図３に示すように該ＰＤＡ３を接続して、この探査装置のアンテナ１を利用し、このアンテナ１からＲＦ−ＩＤタグに表示データを送信して行う。
【００２８】
勿論、ＲＦ−ＩＤタグは、その送信される表示データに対応するコンセントに付され、例えば、図４及び図５に示すように、コンセント及びその種別Ａ−１（Ａライン上の1つ目のコンセントであることを示す表示）、電力ＰのＡライン、領域Ｘゾーンが主要情報として入力され、更に、細部情報として、例えば、種別差込口数Ｐ２+Ｔ４（電力差込口２ケと電話差込口４ケを有することを示す表示）、Ａライン１／４（Ａライン上の４つあるうちの１つであることを示す表示）、総口数Ｐ８、Ｔ１０、Ｊ０（Ａライン上にある種別毎の差込口数の合計を示す表示）などが入力され、これによって、例えば図示のように、ｔａｇＡ−１が設定され（図示では、←■の記号で示している。）、コンセントＡ−１本体又はその近傍位置の二重床内に設置されることとなる。そして、図１及び図５に示すように、各コンセントに対応するＲＦ−ＩＤタグ、即ち、ｔａｇＡ−２，・・・・、ｔａｇＢ−１，・・・・、が設定されることになる。
【００２９】
次に、図１〜図９を用いて、以下、詳細に探査の方法及びその表示形態について詳細に説明する。
図１は、所定室内における電力、電話・情報用配電盤、二重床内部のコンセント及び配線、タグの配置、敷設状態を示した平面図であり、図２は、その同じ室内における外観平面図である。また、図３は、略モップ形状探査装置６を示し、図示例では、前記ＰＤＡ３は、アンテナ１に接続されて操作部２の所定位置に設ける必要があるが、操作時の安定性や収納性を向上させるため、ホルダー４を備え、必要に応じて着脱自在に設置可能とする構成が好適である。しかし、表示部の視認性を妨げるものではなく、任意に設定可能であり、ホルダー装着のまま表示部７の確認ができれば、尚良い。
【００３０】
また、図示はしていないが、ホルダー４を不要とし、ＰＤＡ３本体が、アンテナ１との接続ケーブル５により必要に応じて接続自在な構成とし、操作時にはケーブル接続して片手持ちで表示を見ながら二重床Ｆ面上に沿ってを走行操作可能とするようにしても良い。
【００３１】
ところで、図１に示す配電盤は、電力用Ｐと、電話用Ｔ及び情報用Ｊとの２つを独立させて離れた位置に設置した例であるが、逆に、近接させたり、一体化させても良く、任意であり、ライン数や配線経路、コンセント数、タグの数、コンセント内の差込口数も任意に設定可能とするものである。そして、図２は、図１に対応させて示した探査の操作経路の一例であって、軌跡を示し家具類が設置された状態を示している。
【００３２】
本発明に係る具体的例を示す第１、第２、第３、第４、第５、第６実施例について各図を用いて説明するが、本発明は、これら実施例以外にも種々の表示方法、表示形態に関しての変形例が適宜考えられるものであり、本件発明に係る特徴的技術思想の主旨、概念に含まれるものであれば、どのような態様も含まれるものであり、上記各実施例のみに限定されるものではない。
【００３３】
本実施例に係る第１の特徴的な第１実施例は、コンセント探知操作によりコンセント位置探検知されたコンセント表示と、その検知されたコンセント情報のみとを表示する要旨であり、所定の探知操作により、二重床内に設置された配線又はコンセント近傍位置に設置されたＲＦ−ＩＤタグを探知し、電力、電話、情報等の配線又はコンセント位置の位置情報と共に、該位置探知されたコンセントの例えば種別、数、差込み口数、ライン、ゾーンのコンセント情報を表示可能とすることにある。
【００３４】
本実施例に係る第２の特徴的な第２実施例は、コンセント探知操作により位置検知されたコンセント表示と他のコンセント情報表示する要旨であり、所定の探知操作により、ＲＦ−ＩＤタグが付されて該二重床内に設置されたコンセントを特定領域毎に電力、電話、情報等の配線位置、コンセント位置を探知し、所望コンセント位置が探知された時、その位置情報を音で報知すると共に、その位置探知されたコンセントの例えば種別、数、ライン等の情報と、他のコンセントの例えば種別、数、差込口数、ゾーン、ライン等の情報とを表示により報知することにある。
【００３５】
本実施例に係る第３の特徴的な第３実施例は、配電盤の探知操作により全コンセント情報を検知して一括表示する要旨であり、所定の探知操作により、所定配電盤の位置又はその近傍位置に設置された該ＲＦ−ＩＤタグの所定コンセント情報を探知し、電力、電話、情報の種別に対応させて例えばコンセント種別、ライン、ゾーン等のコンセント情報を報知すると共に、該種別毎のコンセント数、ライン数、ゾーン数、口数の総数等の全総合情報を報知することにある。
【００３６】
本実施例の第４の特徴的な第４実施例は、配電盤の探知操作により全コンセント情報を検知した一括表示と、更にコンセント探知操作により位置検知されたコンセント情報を前記一括表示とを異なる表示形態で表示する要旨であり、所定の探知操作により、所定配電盤近傍位置に設置された第１のＲＦ−ＩＤタグの例えばコンセント及びコンセント種別、コンセント数、ライン及びライン数、ゾーン及びそのゾーン数等のコンセント情報を検知し、所定整列配置の表示形態で一括表示すると共に、更に、コンセント探知操作により、その近傍位置に設置された第２のＲＦ−ＩＤタグの所定コンセント位置を検知し、その位置検知されたコンセントのコンセント情報の表記のみを前記表示形態と異なる表示形態で表示することにある。
【００３７】
本実施例の第５の特徴的な第５実施例は、コンセント探知操作により特定ライン、種別のコンセント情報表示と、更に位置検知されたコンセント情報の表示とを異なる表示形態で表示する要旨であり、ＲＦ−ＩＤタグを検知して所定コンセントを位置検知し、その位置検知されたコンセントにおける予め書き込まれたコンセント情報の特定ラインの例えばコンセント及びコンセント種別、コンセント数を読み出し、所定の整列配置による表示形態で表示し、そのコンセント表記のみを前記表示形態と異なる表示形態で表示することにある。
【００３８】
本実施例の第６の特徴的な第６実施例は、コンセント探知操作により全コンセント情報を検知し一括表示と、更に位置検知されたコンセント情報の表示とを異なる表示形態で表示する要旨であり、コンセント近傍位置に設置されたＲＦ−ＩＤタグを検知して所定のコンセント位置を検知し、その位置検知されたコンセントにおける予め書き込まれたコンセント情報の例えばライン及びライン数、コンセント及びコンセント種別、コンセント数、ゾーン及びそのゾーン数を読み出して所定の整列配置による表示形態で一括表示し、そのコンセント表記のみを前記表示形態と異なる表示形態で表示することにある。
【００３９】
次に、本発明において好適な実施例に係る探査装置を用いた探査方法について図１〜図４、図６〜図９を参照して、そのプロセス、手順を、フローチャート及び図１０、図１１及び図１２を用いて、詳細に説明する。
【００４０】
本実施例における前記第１の実施例を示す図１０において、まず、ＲＦ−ＩＤタグを二重床Ｆ内に設置するコンセント本体、或いはコンセント近傍の二重床パネルの所定位置に設置する（タグ設置ステップ）。このタグは、図１では←■の記号で示し、例えば、コンセントＡ−１はｔａｇＡ−１で示す。
【００４１】
次に、図３に示すような前記略モップ形状探査装置で二重床Ｆ上面に沿って走行させるようにアンテナ１の送受信部を操作し所望のコンセントを探査する（探査装置によるコンセント探査ステップ）。
【００４２】
そして、前記のコンセント探知捜査で前記設置されたＲＦ−ＩＤにより所望コンセントが探知された時、前記探知ユニット部（ＰＤＡ）３により音の発生でコンセント設置位置を報知する（コンセントの位置探知ステップ）。
【００４３】
ここで、図２に探査経路を破線（電話Ｔ／情報Ｊ）や実線（電力Ｐ）の矢印で示すように、探知されたコンセントＣ−１やコンセントＡ−１が検知された位置を夫々記号◎で示し、後述する電力配電盤Ｐの探査位置をＰｓ、電話配電盤Ｔ／情報配電盤Ｊの探査位置を夫々Ｔｓ、Ｊｓとしている。
【００４４】
そして、前記コンセント設置位置が探知されたとほぼ同時に、更に、例えば、図４に示す前記探知ユニット部（ＰＤＡ）３の表示部のように、その探知されたコンセント情報、例えば、図４（Ａ）に示すように、コンセント種別情報Ａ−１、種別毎の差込口数Ｐ２＋Ｔ４、種別毎の経路・ライン情報Ａライン  コンセント数１／４、種別毎の合計差込口数Ｐ８、Ｔ１０、Ｊ０、領域区分Ｘゾーン・・・が該ＰＤＡ３に表示され、そのコンセント情報を報知する。これにより、その探知時点でその設置位置が確実にわかるだけでなく、探知コンセント（Ａ−１）情報が簡単に認識されることとなる（コンセント情報表示ステップ）。
【００４５】
尚、図４（Ａ）による記号表示でなく、より迅速に認識を高めるため、図４（Ｂ）に示す前記ＰＤＡ３の表示部７のように、具体的なコンセントの名称や規格名、銘柄等を表記したり、種別表示を電力、電話、情報と具体的に表示するようにしても良い。
【００４６】
前記第２の実施例を示す図１１において、前述したように、前記（コンセントの位置探知ステップ）におけるコンセント探査で、所望コンセントが探知された時、前述したように、音でコンセントが検知された事を報知する。そして、例えば、図６に示す前記ＰＤＡ３の表示部のように、前記探知装置６における該ＰＤＡ３により、その検知されたコンセントＡ−１のライン情報のＡラインを表示すると共に、そのＡライン上の他のコンセントＡ−２、Ａ−３、Ａ−４を整列配置の表示形態で表示すると共に、更に、前記音で報知し検知されたコンセントＡ−１表示を表示上認識容易となるように整列配置の表示形態とは異なる表示をする。図示では点滅表示により表示する（コンセント情報表示ステップ）。
【００４７】
これにより、図示例では、電力Ａライン上の電力コンセントＡ−１が位置検知され、そのＡ−２、Ａ−３、Ａ−４の電力コンセントの数、コンセントの種類が容易に理解できることとなる。勿論、前述のコンセントが検知された段階でその設置位置を音でも報知可能である。尚、本例でコンセントの口数、即ち、差込口数、ゾーン等他の情報も任意に表示させることも可能である。
【００４８】
前記第３の実施例を示す図１２において、今度は、コンセント情報が書き込まれたＲＦ−ＩＤタグを、前述した図１，２に示す電力Ｐ、電話Ｔ／情報Ｊの配電盤に設置し、配電盤又はその近傍を探査すると、一連のコンセント情報が一括表示されるという例を示す。まず、配電盤に電力Ｐ、電話Ｔ／情報Ｊに夫々対応した種別毎のライン上に例えば各全コンセント情報が書き込まれた専用のＲＦ−ＩＤタグを設置する。即ち、例えば、配電盤用は第１のＲＦ−ＩＤタグを設置し、コンセント探知用は第２のＲＦ−ＩＤタグを設置する（タグ設置ステップ）。
【００４９】
ここで、第１のＲＦ−ＩＤタグは、例えば、前記種別毎、配線経路・ライン毎に多数設けても良いが、メモリ容量により可能であれば、１つの配電盤に全コンセント情報を書き込んだ１つのＲＦ−ＩＤタグを設置しても良い。
【００５０】
次に、探査装置６或いは前記ＰＤＡ３で配電盤を探査すると（配電盤探査ステップ）、例えば、コンセント種別毎又はライン毎のコンセント情報を一括して検知でき、検知された時、音で検知されたことを知らせる（位置検知ステップ）。
【００５１】
この検知とほぼ同時に、図７に示す前記ＰＤＡ３の表示部７のように、例えば、電力ＰのＡ、Ｂ、Ｃライン上の全てのコンセント情報の、Ａ−１、Ａ−２、Ａ−３、Ａ−４、Ｂ−１、Ｂ―２、Ｂ―３、Ｃ―１、Ｃ−２、Ｃ―３を整列配置して体系的に一括表示することができ、本例の図示では、更にＸ、Ｙ、Ｚゾーン表示も行うようにしている（コンセント情報表示ステップ  ⇒  第１のステップ）。
【００５２】
このようにして、配電盤の近傍で、探査装置６により探査すれば、まず、電力系統のライン、コンセント及びその数が即座に認識できて探査対象のコンセント有無を確認でき、次のステップにおけるコンセント探査への移行をスムーズに行え、やみくもにコンセント探査操作を行う必要性がなくなり、探査操作性、探査時間の短縮を可能とする報知が可能となる。
【００５３】
そして、前記第４の実施例を示す図８及び図９において、更に、図１２に示すａの所望コンセントの位置検知が必要となる場合（コンセント検知要否ステップ）、ａの探査装置でコンセント探査を行う（コンセント探査ステップ）。
【００５４】
ここで、前述したように、コンセント探知用の第２のＲＦ−ＩＤタグが夫々のコンセントに設置されているので、これにより前記の通り所望コンセントが検知された場合には、音でその位置検知された事を報知する（コンセント位置検知ステップ）。
【００５５】
ここで、前述のこの検知とほぼ同時に、図７における電力Ｐ、Ａ、Ｂ、Ｃライン上のコンセント情報Ａ−１、Ａ−２、Ａ−３、Ａ−４、Ｂ−１、Ｂ―２、Ｂ―３、Ｃ―１、Ｃ−２、Ｃ―３の場合には、その整列配置の一括表示に、その検知されたコンセント情報のコンセント表記のみ、例えば、図示してないＡライン上のＡ−１を点滅表示させ、これが位置検知されたことを報知する。
【００５６】
この外、図８に示すように、他の例として、例えば、電話Ｔ／情報Ｊを表示した場合には、Ｄライン、Ｅライン、Ｆライン上の全てのコンセント情報Ｄ−１、Ｄ−２、Ｄ−３、Ｅ−１、Ｅ―２、Ｅ―３、Ｆ―１、Ｆ−２、更に、Ｘ、Ｙ、Ｚゾーン表示も整列配置して体系的に一括表示されているとすれば、図示のＤ−３のコンセントが位置検知された時には、そのコンセントＤ−３表記のみがその一括表示と異なる表示形態の点滅で表示するようにしている（コンセント情報表示ステップ  ⇒  第２のステップ）。
【００５７】
そして、前述した図７及び図８では電力Ｐと電話Ｔ／情報Ｊとを区分して探知し、夫々一括表示した場合の例であったが、図９では、前述した配電盤を最初に探査する場合において、電力Ｐ、電話Ｔ／情報Ｊの全コンセント情報を一括表示した場合の例であり、その後、連続してコンセント位置検知を2回行い、電力コンセントＡ−１、電話コンセントＣ−１の検知を行って、その前記一括表示の表示形態と異なる表示形態の点滅表示した場合の例を示したものである。
【００５８】
以上に説明したように、フローチャートの図１２により、前記第３の実施例、前記第４の実施例を具体的に図７、図８、図９の表示例を用いて、まず、配電盤近傍位置を探査してコンセント情報の全てを一括表示しておき、この表示情報に基づいて、  次に、特定のコンセント探知操作を行い、その特定のコンセントが検知された時、そのコンセント位置情報を前記一括表示と異なる表示形態で表示することを説明した。
【００５９】
ここで、更に、他の変形例として、前記第５の実施例は、前記第３の実施例、前記第４の実施例で最初に配電盤を探査したのを、最初にコンセント探査するように変更して、所望コンセントの位置検知と同時に、コンセント種別毎又はライン毎のコンセント情報を一括表示するようにした変形例に相当するものであり、また、前記第６の実施例も、最初にコンセント探査するようにして、所望コンセントの位置検知と同時に、全コンセント情報を全て一括表示するようにした変形例に相当するものである。
【００６０】
これにより、1回のコンセント探査操作だけで、所望コンセント位置と同時に種別毎又はライン毎、或いは、全てのコンセント情報が表示により報知されるもので、この場合の表示形態は、図７、図８、図９に示す同じ表示形態が可能であり、これらをフローチャートは、基本的に、例えば、前記（タグ設置ステップ）において配電盤にＲＦ−ＩＤタグを設置しないように設定しておけば、前述した図１２と共通である。
【００６１】
尚、この場合では、ＲＦ−ＩＤタグは、当然ながら配電盤には設ける必要性はなく、二重床内に設置されるコンセント、その近傍、配線等に必要に応じて適宜必要数設置すれば良く、いずれにしても、前述したように、ＲＦ−ＩＤタグのデータメモリ容量、ＰＤＡ３のデータ処理能力やコスト等により任意に設定されるものである。
【００６２】
［他の実施例その他の変形例の説明］
本実施例においては、報知については、図示による表示、表示形態を例に挙げて説明したが、これに限定するものではなく、表示データに対応した、図示しない、例えば、所定の音声認識装置や音響装置を用いて音声や音で報知するようにしても良い。
【００６３】
また、異なる表示形態の例として、本実施例の図示では点滅表示で示したが、これに限らず、別のランプを用いたり、異なる色の表示をしたり、反転表示したり、種々の異なる表示態様が考えられ、認識が容易で別の異なる表示形態であればどのような表示形態でも良い。
【００６４】
更に、認識し易いように、前記音や音声と、前記表示とを組合せた報知形態をとることも可能である。
【００６５】
また更に、表示データとしては、図１に基づいて、表示形態を図６〜図９で示したが、Ａライン〜Ｆライン、Ａ−１・・、Ｂ−１・・、Ｃ−１・・、Ｄ−１、Ｅ−１・・、Ｆ−１、ＸＹＺゾーン、差込口数、その総数の表示など、図示のみに限定されず、コンセントの種類や配線経路の状態に応じて任意に必要なデータに変更可能である。
【００６６】
尚、表示形態としては、本実施例では、図４、図６、図７、図８及び図９で示したが、これら各情報、データの配列は一例であり、これに限定されるものではない。必要に応じて、任意のデータ配列の表示形態も技術概念として当然に含まれることは明らかであり、また、例えば、検知されたコンセントの表示をすると共に、必要に応じてその設置されたゾーン（領域）が解るようにゾーン表示したり、その配線経路がどのようなものかライン表示したり、必要に応じて所望の情報（種別、ライン、ゾーン、差込口、又は、これらの数のうちの少なくともいずれか）夫々単独に、又は、複数を組み合わせにより表示するようにしても良い。
【図面の簡単な説明】
【００６７】
【図１】所定室内における電力、電話・情報用配電盤、二重床内部のコンセント及び配線、タグの配置、敷設状態を示した平面図である。
【図２】前記図１の同じ室内における家具類、配線盤の配置、探査状況を示す外観平面図である。
【図３】略モップ形状探査装置（アンテナの送受信部、操作部、探知ユニット部）の概略構成を示した斜視図である。
【図４】（Ａ）（Ｂ）略モップ形状探査装置（探知ユニット部）の表示形態の一例を示した平面図であって、コンセント種別（Ｐ，Ｔ，Ｊ）、コンセント数、コンセント口数、差込口の種別、ライン種別、ライン数、ゾーン種別、ゾーン数などを表示した例を示している。
【図５】前記図４の表示形態に対応する室内における電話・情報用配電盤、二重床内部のコンセント及び配線、タグ配置等の一部分の敷設状態を示した平面図である。
【図６】略モップ形状探査装置（探知ユニット部）の表示形態の他の実施例を示した平面図であって、特に、探知されたコンセントのライン情報、探知されたコンセントのみを異なる表示形態で表示させた１つの表示形態を示している。
【図７】略モップ形状探査装置（探知ユニット部）の表示形態の更に他の実施例を示した平面図であって、特に、全コンセント情報の１つの表示形態を示している。
【図８】略モップ形状探査装置（探知ユニット部）の表示形態の更に他の実施例を示した平面図であって、特に、特定種別（電話）コンセント情報を表示し、且つ、探知コンセントが異なる表示形態で表示された1つの表示形態を示している。
【図９】略モップ形状探査装置（探知ユニット部）の表示形態の更に他の実施例を示した平面図であって、特に、全コンセント情報を表示し、且つ、連続２回探知した２つの探知コンセントが異なる表示形態で表示された1つの表示形態を示している。
【図１０】第1実施例におけるＰＤＡ表示形態の一例を示すフローチャートである。
【図１１】第２実施例におけるＰＤＡ表示形態の一例を示すフローチャートである。
【図１２】第３、第４実施例におけるＰＤＡ表示形態の一例を示すフローチャート、第５、第６実施例におけるＰＤＡ表示形態の対応例を示すフローチャートである。
【符号の説明】
【００６８】
１    アンテナ
２    操作部
３    探知ユニット部
４    ホルダー
５    接続ケーブル
６    略モップ形状探査装置
７    表示部
Ｆ    二重床面
ＰＣ              パソコン
ＰＤＡ            探知ユニット部
Ｐ，Ｔ，Ｊ        コンセント種別
Ａ，Ｂ，Ｃ        電力コンセント
Ｄ，Ｅ，Ｆ        電話／情報コンセント
Ａ−１〜Ａ−４    Ａライン
Ｂ−１〜Ｂ−３    Ｂライン
Ｃ−１〜Ｃ−３    Ｃライン
Ｄ−１〜Ｄ−３    Ｄライン
Ｅ−１〜Ｅ−３    Ｅライン
Ｆ−１〜Ｆ−２    Ｆライン
Ｘ，Ｙ，Ｚ        ゾーン種別
【図１】
2005171589.tif 000003
【図２】
2005171589.tif 000004
【図３】
2005171589.tif 000005
【図４】
2005171589.tif 000006
【図５】
2005171589.tif 000007
【図６】
2005171589.tif 000008
【図７】
2005171589.tif 000009
【図８】
2005171589.tif 000010
【図９】
2005171589.tif 000011
【図１０】
2005171589.tif 000012
【図１１】
2005171589.tif 000013
【図１２】
2005171589.tif 000014